(57)【要約】【課題】挟み込み防止ドアを提供する。【解決手段】挟み込み防止ドアはドア枠、ドア板、調整機構および開閉器を備える。ドア枠は内周縁部に上下に伸びて形成された凹状部を有する。ドア板は外周縁部に円弧状突出部を有する。ドア板が閉じた時、ドア板の円弧状突出部はドア枠の凹状部に嵌まり込むため、ドア板とドア枠との間の隙間を確実に遮蔽し、指挟み事故を防止することができる。調整機構はドア板の下方に配置されるため、閉じたドア板の円弧状突出部をドア枠の凹状部内に維持することができる。調整機構は固定軸と、固定軸に配置された固定ギアとを有する。開閉器は本体、回転軸および伝達歯車を有する。本体はドア板内に格納され、調整機構の固定軸に接続される。回転軸は本体に配置され、調整機構の固定ギアと噛み合う伝達歯車と連結されるため、開閉器は伝達歯車によってドアの開閉作動に抵抗を生じることができる。【選択図】  図５
2019116815.tif 000002
【特許請求の範囲】
【請求項１】
ドア枠、ドア板、調整機構および開閉器を備え、
前記ドア枠は、上枠部、下枠部、第一側枠部および第二側枠部を有し、前記第一側枠部および前記第二側枠部は相対するように前記上枠部および前記下枠部に連結され、前記第一側枠部は前記第二側枠部に相対する側面に凹状部を有し、
前記ドア板は、頂部が前記ドア枠の前記上枠部に接続され、底面の内部に形成された装着溝部と、前記ドア枠の前記第一側枠部に相対する側辺に形成された円弧状突出部とを有し、前記ドア板が閉じた場合、前記ドア板の前記円弧状突出部は前記ドア枠の前記第一側枠部の前記凹状部に嵌め込まれ、
前記調整機構は、固定座、可動板、固定軸および固定ギアを有し、前記固定座は前記ドア枠の前記第一側枠部に接するように前記ドア枠の前記下枠部に装着され、前記可動板は前記ドア枠の前記第一側枠部に相対して移動できるように前記固定座に配置され、前記固定軸は底部が前記可動板に連結され、前記固定ギアは前記固定軸に接続され、
前記開閉器は、本体、回転軸および伝達歯車を有し、前記本体は前記ドア板の前記装着溝部に格納され、前記調整機構の前記固定軸の頂部に接続されるため、前記ドア板の開閉作動に伴って前記固定軸に対して回転することができ、前記回転軸は回転可能なように前記本体に配置され、頂部が前記本体に入り込み、下向きの底部が前記本体に突出し、伝達歯車は前記調整機構の前記固定ギアと噛み合うように前記回転軸の前記底部に連結されるため、前記本体に対して前記回転軸を回転させることができることを特徴とする挟み込み防止ドア。
【請求項２】
前記可動板は一端にねじ穴を有し、
前記調整機構はさらに調整ボルトを有し、前記調整ボルトは前記可動板の前記ねじ穴に装着されることで前記可動板を前記ドア枠の前記第一側枠部へ移動させることを特徴とする請求項１に記載の挟み込み防止ドア。
【請求項３】
前記固定座は、前記可動板の格納に用いられる格納溝と、前記固定座の一端に形成される二対のストッパーと、前記格納溝と繋がるように二つの前記ストッパーの間に形成される欠け口とを有し、
前記調整ボルトはヘッド部およびねじ部を有し、前記ヘッド部は二つの前記ストッパー上の前記格納溝に背く側面に当接し、前記ねじ部は前記欠け口に差し込まれ、一端が前記ヘッド部に連結され、他端が前記可動板の前記ねじ穴内に締め付けられることを特徴とする請求項２に記載の挟み込み防止ドア。
【請求項４】
前記調整機構は、さらにリングストッパーを有し、前記リングストッパーは前記調整ボルトの前記ねじ部に接続され、前記固定座の二つの前記ストッパー上の前記格納溝に相対する側面に当接することを特徴とする請求項３に記載の挟み込み防止ドア。
【請求項５】
前記固定座はさらに一端に形成される開口溝を有し、前記開口溝はは前記欠け口と繋がり、
前記調整ボルトの前記ヘッド部は前記欠け口に差し込まれることを特徴とする請求項３に記載の挟み込み防止ドア。
【請求項６】
前記固定座はさらに二つの相対する側辺に別々に形成される穿孔を有し、前記穿孔は前記格納溝と繋がり、軸方向が前記可動板の前記ねじ穴の軸方向に垂直であり、
前記調整機構はさらに二つの当接部を有し、前記当接部は移動可能なように前記穿孔に装着され、前記可動板に当接することを特徴とする請求項３に記載の挟み込み防止ドア。
【請求項７】
前記ドア枠の前記凹状部は矩形溝部であることを特徴とする請求項１に記載の挟み込み防止ドア。
【請求項８】
前記ドア枠の前記凹状部は前記ドア枠の前記上枠部の底面から前記ドア枠の前記下枠部の頂面まで伸びて形成されることを特徴とする請求項７に記載の挟み込み防止ドア。
【請求項９】
前記ドア板の前記円弧状突出部の長さは前記ドア枠の前記凹状部の長さに対応することを特徴とする請求項８に記載の挟み込み防止ドア。
【請求項１０】
前記ドア枠の前記凹状部の幅は前記ドア板の前記円弧状突出部の厚さより大きいことを特徴とする請求項７に記載の挟み込み防止ドア。
【発明の詳細な説明】
【技術分野】
【０００１】
本発明はドアに関し、詳しくは安全性を向上させる挟み込み防止ドアに関するものである。
【背景技術】
【０００２】
一般のドア板は蝶番によってドア枠に接続され、ドア枠に相対して開閉作動することができる。ドア板とドア枠との間の隙間はドア板の開閉作動によって増減する。
【０００３】
開いたドア板の横で遊んでいた子供の指が不注意でドアの隙間に入った時に、ドア板が突然に誰かに閉められ、子供の指を挟んで怪我をさせてしまう事故がよくある。子供だけでなく大人でもこのような思いがけない事故が避けられない。従って、上述した従来のドアは常に見えない危険性を抱えているため、安全面において改善の余地がある。
【発明の概要】
【発明が解決しようとする課題】
【０００４】
本発明は、ドア板の開閉作動の邪魔にならず指挟み事故を防止し、使用上の安全性を向上させる挟み込み防止ドアを提供することを主な目的とする。
【課題を解決するための手段】
【０００５】
上述した課題を解決するため、挟み込み防止ドアはドア枠、ドア板、調整機構および開閉器を備える。ドア枠は上枠部、下枠部、第一側枠部および第二側枠部を有する。第一側枠部および第二側枠部は相対するように上枠部および下枠部に連結される。第一側枠部は第二側枠部に相対する側面に凹状部を有する。ドア板は頂部がドア枠の上枠部に接続され、底面の内部に形成された装着溝部と、ドア枠の第一側枠部に相対する側辺に形成された円弧状突出部とを有する。ドア板が閉じた場合、ドア板の円弧状突出部はドア枠の第一側枠部の凹状部に嵌まり込む。調整機構は固定座、可動板、固定軸および固定ギアを有する。固定座はドア枠の第一側枠部に接するようにドア枠の下枠部に装着される。可動板はドア枠の第一側枠部に相対して移動できるように固定座に配置される。固定軸は底部が可動板に連結されることによって可動板とともに移動する。固定ギアは固定軸に接続されることで固定軸とともに移動する。開閉器は本体、回転軸および伝達歯車を有する。本体はドア板の装着溝部に格納され、調整機構の固定軸の頂部に接続されるため、ドア板の開閉作動に伴って固定軸を中心に回転することができる。回転軸は回転可能なように本体を貫通し、頂部が本体に入り込み、下向きの底部が本体に突出する。伝達歯車は調整機構の固定ギアと噛み合うように回転軸の底部に連結されるため、ドア板が開閉作動する際、回転軸によって駆動され、固定ギアを中心に公転する。このとき固定ギアは回転しないため、伝達歯車は公転と同時に自転もする。回転軸は伝達歯車の回転によって開閉器の本体内のダンパーを作動させる。ダンパーは油圧によってドアの開閉作動に抵抗を生じる。
【０００６】
上述したとおり、本発明による挟み込み防止ドアはドア枠の凹状部とドア板の円弧状突出部の組み合わせによって開いたドア板とドア枠との間の隙間を効果的に遮蔽することができる。一方、ドア板の取付作業が完了した後、またはドア板が何回か使用された後、可動板によってドア板の位置を調整し、閉じたドア板の円弧状突出部をドア枠の凹状部内に維持することができる。つまり、本発明はドア板の開閉作動の邪魔にならず指挟み事故を防止し、使用上の安全性を向上させることができる。
【０００７】
本発明による挟み込み防止ドアの詳細な構造、特徴、組み立てまたは使用方法は、以下の実施形態の詳細な説明を通して明確にする。また、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【０００８】
【図１】本発明の一実施形態による挟み込み防止ドアにおいてドア板が閉じた状態を示す斜視図である。
【図２】本発明の一実施形態による挟み込み防止ドアのドア枠を示す斜視図である。
【図３】本発明の一実施形態による挟み込み防止ドアのドア板を示す斜視図である。
【図４】本発明の一実施形態による挟み込み防止ドアにおいてのドアクローザーおよび開閉器の配置位置を示す平面図である。
【図５】図４中の５−５線に沿った断面図である。
【図６】図５の一部分の拡大図である。
【図７】図４に示したドア板が４５度開いた状態を示す断面図である。
【図８】図４に示したドア板が９０度開いた状態を示す断面図である。
【図９】本発明の一実施形態による挟み込み防止ドアの調整機構を示す分解斜視図である。
【図１０】本発明の一実施形態による挟み込み防止ドアの調整機構において四つの当接部がそれぞれ可動板の二つの相対する長辺に当接する状態を示す平面図である。
【図１１】本発明の一実施形態による挟み込み防止ドアの調整機構の一部分を示す断面図である。
【図１２】本発明の一実施形態による挟み込み防止ドアの調整機構の調整ボルトによって可動板をドア枠の第一側枠部へ移動させる状態を示す断面図である。
【図１３】本発明の一実施形態による挟み込み防止ドアにおいて調整機構の一部分、即ち固定軸と固定ギアおよび開閉器の伝達歯車と回転軸とが結合した状態を示す断面図である。
【図１４】本発明の一実施形態による挟み込み防止ドアにおいて調整機構の一部分、即ち固定軸と固定ギアと結合した開閉器の伝達歯車が自転と同時に固定ギアを中心に公転する状態を示す断面図である。
【発明を実施するための形態】
【０００９】
以下、本発明による挟み込み防止ドアを図面に基づいて説明する。なお、本明細書において、上下、内外、前後および左右などの方向性のある用語は通常に作業する際の向きを表示するための説明に過ぎないため、本発明の請求範囲を限定できない。
【００１０】
（一実施形態）
図１から図４に示すように、本発明の一実施形態による挟み込み防止ドア１０は、ドア枠２０、ドア板３０、調整機構４０および開閉器５０を備える。
【００１１】
図２に示すように、ドア枠２０は上枠部２１、下枠部２２、第一側枠部２３および第二側枠部２４を有する。第一側枠部２３および第二側枠部２４は相対するように上枠部２１および下枠部２２に連結される。第一側枠部２３は内側面（即ち第二側枠部２４に相対する側面）に凹状部２５を有する。凹状部２５即ち矩形溝部（図６参照）は上枠部２１の底面から下枠部２２の頂面まで伸びて形成される。
【００１２】
図４に示すように、ドア板３０はドアクローザー１２によって頂部がドア枠２０の上枠部２１の一端に接続される。周知のドアクローザー１２は本発明の技術重点ではないため、詳細な説明を省略する。図３および図４に示すように、ドア板３０は装着溝部３１および円弧状突出部３２を有する。装着溝部３１はドア枠２０の第一側枠部２３に接するようにドア板３０の底面の内部に形成される。円弧状突出部３２はドア枠２０の第一側枠部２３に相対するドア板３０の側辺に形成される。図3に示すように、ドア板３０の円弧状突出部３２の長さはドア枠２０の凹状部２５の長さに対応する。図6に示すように、ドア板３０の厚さＴはドア枠２０の凹状部２５の幅Ｗより小さい。ドア板３０が閉じた場合、図5に示すようにドア板３０の円弧状突出部３２はドア枠２０の第一側枠部２３の凹状部２５に嵌まり込む。ドア板３０が開いた場合、ドア板３０の円弧状突出部３２は開いたドア板３０の角度によって全体または一部分がドア枠２０の第一側枠部２３の凹状部２５と分離する。開いたドア板３０が４５度を呈する際、図７に示すように、ドア板３０の円弧状突出部３２は半分がドア枠２０の第一側枠部２３の凹状部２５に突出し、別の半分がドア枠２０の第一側枠部２３の凹状部２５に入り込む。開いたドア板３０が９０度を呈する際、図８に示すように、ドア板３０の円弧状突出部３２とドア枠２０の第一側枠部２３の凹状部２５とは完全に分離する。
【００１３】
図９に示すように、調整機構４０は固定座４１、可動板４２、調整ボルト４３、リングストッパー４４、二対の当接部４５、固定軸４６および固定ギア４７を有する。
【００１４】
固定座４１は、ドア枠２０の下枠部２２の頂面（図１および図４参照）に装着され、一端がドア枠２０の第一側枠部２３に当接し、かつ格納溝４１１と、二対のストッパー４１２、欠け口４１３、開口溝４１４および複数の穿孔４１５を有する。二対のストッパー４１２は固定座４１の他端に形成される。欠け口４１３は格納溝４１１と繋がるように二つのストッパー４１２の間に形成される。開口溝４１４は欠け口４１３と繋がる。複数の穿孔４１５は固定座４１の二つの相対する長辺に間隔を置いて形成される。すべての穿孔４１５と格納溝４１１とは相互に繋がる。
【００１５】
図１０に示すように、可動板４２は固定座４１の格納溝４１１に格納され、長さおよび幅が固定座４１の格納溝４１１より小さいため、格納溝４１１内を前後および左右に移動できる。可動板４２は右端（即ち固定座４１のストッパー４１２に近い一端）にねじ穴４２１を有し、左端（即ち固定座４１のストッパー４１２から離れる一端）に非円形固定孔４２２を有する。ねじ穴４２１の軸方向は固定座４１の穿孔４１５の軸方向に垂直である。
【００１６】
図１０に示すように、調整ボルト４３はヘッド部４３１およびねじ部４３２を有する。ヘッド部４３１は固定座４１のストッパー４１２の外側面（即ち格納溝４１１に背く側面）に当接するように固定座４１の開口溝４１４内に位置する。ねじ部４３２は固定座４１の欠け口４１３に差し込まれ、一端がヘッド部４３１に連結され、他端が可動板４２のねじ穴４２１内に締め付けられる。図１１および図１２に示すように、調整ボルト４３はハンド工具（図中未表示）からの外力によって移動せず回転すると同時に可動板４２をドア枠２０の第一側枠部２３に接近させる。
【００１７】
図１０に示すように、リングストッパー４４は、調整ボルト４３のねじ部４３２に接続され、固定座４１のストッパー４１２の内側面（即ち格納溝４１１に相対する側面）に当接するため、調整ボルト４３が固定座４１から逸脱することを抑制できる。
【００１８】
図１０に示すように、当接部４５は一つずつ固定座４１の穿孔４１５に差し込まれ、末端部が固定座４１の穿孔４１５に突出し、可動板４２の長い側辺に当接することによって可動板４２のスウィングを維持する角度を調整する。調整の利便性を向上させるために当接部４５の外周面にねじ山を形成し、穿孔４１５の内壁面にねじ山を形成すればよい。当接部４５のねじ山と穿孔４１５のねじ山とは相互に噛み合うように結合できるため、当接部４５はハンド工具（例えばドライバー）からの外力によって穿孔４１５の軸方向に沿って前進したり後退したりできる。
【００１９】
図９および図１１に示すように、固定軸４６は底部が可動板４２の固定孔４２２に嵌まり込むことによって可動板４２とともに移動する。
【００２０】
図９および図１１に示すように、固定ギア４７は固定軸４６に被さって接続され、かつ可動板４２の頂面に接するため、自ら回転することなく、可動板４２に伴って固定軸４６と一緒に移動することができる。
【００２１】
図４および図１１に示すように、開閉器５０は本体５１、回転軸５４および伝達歯車５５を有する。開閉器５０のそれ以外の部品は従来の技術で本発明の技術特徴ではないため、詳細な説明を省略する。本体５１はドア板３０の装着溝部３１に格納され、一端の底面に接続孔５２およびそれに接する軸孔５３を有する。本体５１は軸受５６が接続孔５２に入り込むことによって調整機構４０の固定軸４６の頂部に接続されるため、ドア板３０の開閉動作に伴って固定軸４６に対して回転することができる。図９および図１１に示すように、回転軸５４は本体５１の軸孔５３に回転可能なように差し込まれ、頂部が本体５１に入り込み、下向きの底部が本体５１に突出する。伝達歯車５５は調整機構４０の固定ギア４７と噛み合うように回転軸５４の底部に連結されるため、ドア板３０が開閉作動する際、回転軸５４の駆動力を受けて固定ギア４７を中心に公転する。図１３および図１４に示すように、固定ギア４７は回転しないため、伝達歯車５５は公転と同時に自転もする。回転軸５４は伝達歯車５５とともに回転すると同時に、開閉器５０の本体５１内のダンパー（図中未表示）を作動させる。ダンパーは油圧によってドアの開閉作動に抵抗を生じる。
【００２２】
上述したとおり、本発明による挟み込み防止ドア１０はドア枠２０の凹状部２５とドア板３０の円弧状突出部３２の組み合わせによって異なる角度で開いたドア板３０（図７および図８参照）とドア枠２０との間の隙間を効果的に遮蔽することができる。一方、ドア板３０の取付作業が完了した後、またはドア板３０が何回か使用された後、調整ボルト４３によってドア枠２０の第一側枠部２３に相対する可動板４２の位置を調整する。このとき可動板４２は調整ボルト４３によって駆動され、ドア枠２０の第一側枠部２３の方向へ移動する。図１１および図１２に示すように、移動中の可動板４２は固定軸４６によって開閉器５０の本体５１を移動させると同時にドア板３０を開閉器５０の本体５１とともにドア枠２０の第一側枠部２３の方向へ移動させるため、図６に示すように、閉じたドア板３０の円弧状突出部３２をドア枠２０の凹状部２５内に維持することができる。一方、一つまたは一つ以上の当接部４５によって可動板４２のスウィングを維持する角度を微調整すれば、閉じたドア板３０を適切な位置に維持する、例えば図６に示すようにドア板３０の円弧状突出部３２をドア枠２０の凹状部２５の中央に維持することができる。上述したとおり、本発明による挟み込み防止ドア１０はドア板３０の開閉作動の邪魔にならず指挟み事故を防止し、状況に応じてドア板３０の位置を調整し、使用上の安全性および利便性を向上させることができるだけでなく、調整作業が非常に簡単である。
【符号の説明】
【００２３】
１０：挟み込む防止ドア、  １２：ドアクローザー、  ２０：ドア枠、  ２１：上枠部、  ２２：下枠部、  ２３：第一側枠部、  ２４：第二側枠部、  ２５：凹状部、  Ｗ：幅、  ３０：ドア板、  ３１：装着溝部、  ３２：円弧状突出部、Ｔ：厚さ、  ４０：調整機構、  ４１：固定座、  ４１１：格納溝、  ４１２：ストッパー、  ４１３：欠け口、  ４１４：開口溝、  ４１５：穿孔、  ４２；可動板、  ４２１：ねじ穴、  ４２２：固定孔、  ４３：調整ボルト、  ４３１：ヘッド部、  ４３２：ねじ部、  ４４：リングストッパー、  ４５：当接部、  ４６：固定軸、  ４７：固定ギア、  ５０：開閉器、  ５１：本体、  ５２：接続孔、  ５３：軸孔、  ５４：回転軸、  ５５：伝達歯車、  ５６：軸受
【図１】
2019116815.tif 000003
【図２】
2019116815.tif 000004
【図３】
2019116815.tif 000005
【図４】
2019116815.tif 000006
【図５】
2019116815.tif 000007
【図６】
2019116815.tif 000008
【図７】
2019116815.tif 000009
【図８】
2019116815.tif 000010
【図９】
2019116815.tif 000011
【図１０】
2019116815.tif 000012
【図１１】
2019116815.tif 000013
【図１２】
2019116815.tif 000014
【図１３】
2019116815.tif 000015
【図１４】
2019116815.tif 000016
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
ドア枠、ドア板、調整機構および開閉器を備え、
前記ドア枠は、上枠部、下枠部、第一側枠部および第二側枠部を有し、前記第一側枠部および前記第二側枠部は相対するように前記上枠部および前記下枠部に連結され、前記第一側枠部は前記第二側枠部に相対する側面に凹状部を有し、
前記ドア板は、頂部が前記ドア枠の前記上枠部に接続され、底面の内部に形成された装着溝部と、前記ドア枠の前記第一側枠部に相対する側辺に形成された円弧状突出部とを有し、前記ドア板が閉じた場合、前記ドア板の前記円弧状突出部は前記ドア枠の前記第一側枠部の前記凹状部に嵌め込まれ、
前記調整機構は、固定座、可動板、固定軸および固定ギアを有し、前記固定座は前記ドア枠の前記第一側枠部に接するように前記ドア枠の前記下枠部に装着され、前記可動板は前記ドア枠の前記第一側枠部に相対して移動できるように前記固定座に配置され、前記固定軸は底部が前記可動板に連結され、前記固定ギアは前記固定軸に接続され、
前記開閉器は、本体、回転軸および伝達歯車を有し、前記本体は前記ドア板の前記装着溝部に格納され、前記調整機構の前記固定軸の頂部に接続されるため、前記ドア板の開閉作動に伴って前記固定軸に対して回転することができ、前記回転軸は回転可能なように前記本体に配置され、頂部が前記本体に入り込み、下向きの底部が前記本体に突出し、伝達歯車は前記調整機構の前記固定ギアと噛み合うように前記回転軸の前記底部に連結されるため、前記本体に対して前記回転軸を回転させることができることを特徴とする挟み込み防止ドア。
【請求項２】
前記可動板は一端にねじ穴を有し、
前記調整機構はさらに調整ボルトを有し、前記調整ボルトは前記可動板の前記ねじ穴に装着されることで前記可動板を前記ドア枠の前記第一側枠部へ移動させることを特徴とする請求項１に記載の挟み込み防止ドア。
【請求項３】
前記固定座は、前記可動板の格納に用いられる格納溝と、前記固定座の一端に形成される二対のストッパーと、前記格納溝と繋がるように二つの前記ストッパーの間に形成される欠け口とを有し、
前記調整ボルトはヘッド部およびねじ部を有し、前記ヘッド部は二つの前記ストッパー上の前記格納溝に背く側面に当接し、前記ねじ部は前記欠け口に差し込まれ、一端が前記ヘッド部に連結され、他端が前記可動板の前記ねじ穴内に締め付けられることを特徴とする請求項２に記載の挟み込み防止ドア。
【請求項４】
前記調整機構は、さらにリングストッパーを有し、前記リングストッパーは前記調整ボルトの前記ねじ部に接続され、前記固定座の二つの前記ストッパー上の前記格納溝に相対する側面に当接することを特徴とする請求項３に記載の挟み込み防止ドア。
【請求項５】
前記固定座はさらに一端に形成される開口溝を有し、前記開口溝はは前記欠け口と繋がり、
前記調整ボルトの前記ねじ部が前記欠け口に差し込まれることを特徴とする請求項３に記載の挟み込み防止ドア。
【請求項６】
前記固定座はさらに二つの相対する側辺に別々に形成される穿孔を有し、前記穿孔は前記格納溝と繋がり、軸方向が前記可動板の前記ねじ穴の軸方向に垂直であり、
前記調整機構はさらに二つの当接部を有し、前記当接部は移動可能なように前記穿孔に装着され、前記可動板に当接することを特徴とする請求項３に記載の挟み込み防止ドア。
【請求項７】
前記ドア枠の前記凹状部は矩形溝部であることを特徴とする請求項１に記載の挟み込み防止ドア。
【請求項８】
前記ドア枠の前記凹状部は前記ドア枠の前記上枠部の底面から前記ドア枠の前記下枠部の頂面まで伸びて形成されることを特徴とする請求項７に記載の挟み込み防止ドア。
【請求項９】
前記ドア板の前記円弧状突出部の長さは前記ドア枠の前記凹状部の長さに対応することを特徴とする請求項８に記載の挟み込み防止ドア。
【請求項１０】
前記ドア枠の前記凹状部の幅は前記ドア板の前記円弧状突出部の厚さより大きいことを特徴とする請求項７に記載の挟み込み防止ドア。